(57)【特許請求の範囲】
【請求項１】
アルカリ抽出腐植酸液又はアルカリ抽出腐植酸液を含む複合肥料液と、多孔質担体とを含有してなる粉状のアルカリ抽出腐植酸質資材であって、該多孔質担体が含水二酸化珪素であることを特徴とするアルカリ抽出腐植酸質資材。
【請求項２】
含水二酸化珪素の比表面積が５０ｍ2／ｇ以上であることを特徴とする請求項１に記載の腐植酸質資材。
【請求項３】
含水二酸化珪素の表面にシラノール基を１個／ｎｍ2以上有することを特徴とする請求項１又は２に記載の腐植酸質資材。
【発明の詳細な説明】
【０００１】
【産業上の利用分野】
本発明は肥料の効果発現促進に優れるアルカリ抽出腐植酸を多く含有し、かつ、ハンドリングが良好な粉状の腐植酸質資材に関する。
【０００２】
【従来の技術】
今日、農業生産にとって土壌健全化の必要性は広く認識されている。腐植酸はフミン酸とも呼ばれ、土壌有機物の中核をなす物であり、作物の成長促進、根の活性化のほか、土壌自体の物理性改善、肥沃化、微生物の増殖、多様化など、土壌の総合的な健全化に大きな働きをしている。このため従来より普通肥料として腐植酸アンモニア肥料、腐植酸加里肥料、腐植酸苦土肥料、腐植酸りん肥等があり、又、土壌改良資材として各種の腐植酸質資材が供給されている。これらの普通肥料、土壌改良資材で使用されている腐植酸は、通常、石炭又は亜炭を硝酸又は硝酸及び硫酸で分解して生成しているのでニトロフミン酸とも呼ばれている（特開昭６２−１００４９５号公報等参照）。しかしながら、このような酸分解物では本来腐植酸が内包する有用物質である糖やアミノ酸類が少なからず分解されてしまうという欠点がある。
【０００３】
これらの有用物質を活用すべく、石炭、リグニン含有層からアルカリ抽出した腐植酸もあるが、吸湿性が高いため溶液状又はスラリー状でしか供給出来ず、輸送や使用時において、取り扱い性が不便という問題がある。また、アルカリ抽出液に無機酸を加えpH３以下として沈殿物を生成させ、これを濾別乾燥して固体を得ることも出来る（特開平４−３６３３８７号公報参照）が、この方法では前述のように、作物にとって有用な糖やアミノ酸が分解されてしまう欠点がある。
【０００４】
【発明が解決しようとする課題】
本発明は、上記従来の課題を解決するものであり、その目的とするところは糖やアミノ酸の有用物資が分解されず粉状で取り扱い性に優れた有効成分量の高いアルカリ抽出腐植酸質資材を提供することを目的とする。
【０００５】
【課題を解決するための手段】
本発明の目的はアルカリ抽出された腐植酸液またはアルカリ抽出された腐植酸液を肥料成分に含む複合肥料液と多孔質担体、特に含水二酸化珪素とを含有する事によって達成される。
【０００６】
【発明の実施の形態】
以下本発明を詳細に説明する。
本発明において用いる腐植酸は通常の石炭や、亜炭、泥炭、褐炭などの低品位炭を水酸化ナトリウム、水酸化カリウム、消石灰、アンモニア等のアルカリ水溶液で抽出した物を使用する。このアルカリ抽出液を有用物質が酸分解されない程度に、さらにpH7〜12程度に硫酸、硝酸、塩酸、燐酸で調整することは差し支えない。また、窒素、燐酸、カリなどが配合された液状複合肥料に本アルカリ抽出液が混入された形態でも良い。液状複合肥料へのアルカリ抽出液の混入比率は特に制限はないが、通常、0.1%から50%、さらに好ましくは0.1%から10%の範囲で選ばれる。液状複合肥料中の窒素、燐酸、カリの比率については対象となる作物に応じて適宜決められるが、最低限、アルカリ抽出液が混入されたあとの液状複合肥料中の窒素、燐酸又はカリのいずれか２以上について、それぞれの最も大きい主成分の合計量が8%以上であることが好ましい。
【０００７】
多孔質担体としては粉状の含水二酸化珪素、さらにはシリカゲル、ホワイトカーボン等の含水無晶形二酸化珪素が望ましい。含水無晶形二酸化珪素は天然の物でも珪酸ナトリウムと硫酸を反応させた合成物でも良い。この含水無晶形二酸化珪素はその比表面積が５０ｍ2／ｇ以上、さらに好ましくは７０ｍ2／ｇであることが望ましい。また、その表面に１個／ｎｍ2以上のシラノール基を含有する物が良い。
【０００８】
アルカリ抽出腐植酸液またはアルカリ抽出腐植酸液を含む複合肥料液と含水無晶形二酸化珪素との混合は任意の方法で行われ、特に制限はないが、ホイール型やブレード型、ロール型などの混練機を用いると便利である。混合比率は目的とする有効成分量で異なってくるが、担体１００重量部に対して、腐植酸または肥料液の比率が最低、１０重量部が好ましく、特に１００重量部以上が良い。また、腐植酸または肥料液の上限は無いが、４００重量部までは混合でき、場合によっては、１０００重量部、又は、２０００重量部まで可能である。ただし、アルカリ抽出腐植酸液を含む複合肥料液と含水無晶形二酸化珪素を混合する場合、混合品の窒素、水溶性燐酸又は水溶性カリのいずれか２以上の主成分の合計量が5%以上となるような混合比率が望まれる。
【０００９】
混合品は有効成分量を高めたり、更に取り扱い性を向上させるため、乾燥し水分を調整することは可能であるが、本発明によれば、乾燥しなくても充分な有効成分量と良好な取り扱い性を有する粉状体が得やすい。万一、混合品がべたついて乾燥する場合、乾燥方法は特に限定されないが、腐植酸、糖、アミノ酸などの有用物質が変成するような高温度、具体的には120℃以上は避けた方が良い。
【００１０】
【実施例】
以下、実施例、比較例により、本発明をさらに詳細に説明するが、本発明はその要旨を越えない限り、これらに限定されるものではない。なお、以下において「部」は「重量部」を表し、「％」は「重量％」を表す。
実施例１
Leonardite（石炭、リグニン含有層）からアルカリ抽出された腐植酸を含有する液体肥料（JH Biotech社商品名Humax Ferax-S 窒素5%、水溶性燐酸10%、水溶性カリ5%、アルカリ抽出腐植酸1.4% pH10.0）とホワイトカーボン（シオノギ製薬社製「カープレックス22S」 比表面積165m2/g 平均粒径5.5μm シラノール基８個／ｎｍ2）を１：４、１：１、２：１の重量比でそれぞれダルトン社製万能ミキサーで５分間混合し、混合後の性状及びpH（g/100cc）を測定した。尚、pH（g/100cc）とは、１ｇの固体を１００ccの水に溶解、懸濁させて測定したときのpHである。
【００１１】
【表１】
0003995776.tif 000002
さらにそれぞれの混合品100gを採り、75℃の乾燥器内で静置乾燥させ、水分を５％未満にした。その後、室内に放置し性状を観察した。
【００１２】
【表２】
0003995776.tif 000003
比較例１
Leonardite（石炭、リグニン含有層）からアルカリ抽出された腐植酸を含有する液体肥料（JH Biotech社製商品名「Humax Ferax-S」 窒素5%、水溶性燐酸10%、水溶性カリ5%、アルカリ抽出腐植酸1.4% pH10.0）とゼオライト（平均粒径 1.09mm）を１：２、１：１の重量比でそれぞれダルトン社製万能ミキサーで５分間混合し、混合後の性状及びpH（g/100cc）を測定した。
【００１３】
【表３】
0003995776.tif 000004
さらに１：２の混合品100gを採り、75℃の乾燥器内で静置乾燥させ、水分を５％未満にした。その後、室内に放置し性状を観察した。
【００１４】
【表４】
0003995776.tif 000005
混合 乾燥時間 性状腐植酸液100部 セ゛オライト 200部 １時間 吸湿なし
比較例２
Leonardite（石炭、リグニン含有層）からアルカリ抽出された腐植酸を含有する液体肥料（JH Biotech社製商品名「Humax Ferax-S」 窒素5%、水溶性燐酸10%、水溶性カリ5%、アルカリ抽出腐植酸1.4% pH10.0）とベントナイト（笠岡産平均粒径 0.08mm）を１：３、１：２、１：１の重量比でそれぞれダルトン社製万能ミキサーで５分間混合し、混合後の性状及びpH（g/100cc）を測定した。
【００１５】
【表５】
0003995776.tif 000006
さらに１：３の混合品100gを採り、75℃の乾燥器内で静置乾燥させ、水分を５％未満にした。その後、室内に放置し性状を観察した。
【００１６】
【表６】
0003995776.tif 000007
比較例３
Leonardite（石炭、リグニン含有層）からアルカリ抽出された腐植酸を含有する液体肥料（JH Biotech社製商品名「Humax Ferax-S」 窒素5%、水溶性燐酸10%、水溶性カリ5%、アルカリ抽出腐植酸1.4% pH10.0）とバーミキュライトを１：２、１：１の重量比でそれぞれダルトン社製万能ミキサーで５分間混合し、混合後の性状及びpH（g/100cc）を測定した。
【００１７】
【表７】
0003995776.tif 000008
さらに１：２の混合品100gを採り、75℃の乾燥器内で静置乾燥させ、水分を５％未満にした。その後、室内に放置し性状を観察した
【００１８】
【表８】
0003995776.tif 000009
比較例４
アルカリ抽出された腐植酸を含有する液体肥料（JH Biotech社製、商品名「Humax」 pH10.0）100gを採り、75℃の乾燥器内で静置乾燥したところ２４時間後でもスラリー状であり粉状品は得られなかった。
【００１９】
【発明の効果】
本発明によれば糖やアミノ酸の有用物資が分解されず粉状で取り扱い性に優れた有効成分量の高いアルカリ抽出腐植酸質資材を提供することができる。